(57)【要約】【課題】  つなぎ撮りを行う際に、記録媒体に記録されている下地の内容を参照して、それを再構成してつなぎ撮りの際に書き戻す記録再生装置において、つなぎ記録を適切に行う。【解決手段】  つなぎ撮りを行う際に、記録媒体に記録されている下地の内容を参照して、それを再構成してつなぎ撮りの際に書き戻す記録再生装置において、 記録終了時の最終記録位置を示すエラー訂正処理単位の位置情報を取得し（ステップＳ１）、取得した最終記録位置をつなぎ記録開始点として、このつなぎ記録開始点から所定距離だけ前のつなぎ記録開始待機点を算出し（ステップＳ２）、算出したつなぎ記録開始待機点で記録待機状態する制御を行い（ステップＳ３）、上記記録終了時のエラー訂正処理単位の位置情報に基づいて、記録、記録待機、記録を繰り返す。【選択図】        図５
2006066039.tif 000002
【特許請求の範囲】
【請求項１】
つなぎ撮りを行う際に、記録媒体に記録されている下地の内容を参照して、それを再構成してつなぎ撮りの際に書き戻す記録再生装置におけるつなぎ記録方法であって、
記録終了時の最終記録位置を示すエラー訂正処理単位の位置情報を取得し、
取得した最終記録位置をつなぎ記録開始点として、このつなぎ記録開始点から所定距離だけ前のつなぎ記録開始待機点を算出し、
算出したつなぎ記録開始待機点で記録待機状態する制御を行い、
上記記録終了時のエラー訂正処理単位の位置情報に基づいて、記録、記録待機、記録を繰り返すことを特徴とするつなぎ記録方法。
【請求項２】
上記記録媒体を低速走行させて、つなぎ記録開始待機点を探して記録待機状態する制御を行うことを特徴とする請求項１記載のつなぎ記録方法。
【請求項３】
つなぎ撮りを行う際に、上記記録媒体の走行を開始し、トラッキングを合わせてから所定時間経過後に、つなぎ記録開始点の検索を開始して、つなぎ記録を行うことを特徴とする請求項１記載のつなぎ記録方法。
【請求項４】
つなぎ撮りを行う際に、上記記録媒体の走行位置を示す位置情報を取得し、走行位置を確認して、つなぎ記録開始点から記録電流を流すタイミングを制御して、つなぎ記録を行うことを特徴とする請求項１記載のつなぎ記録方法。
【請求項５】
つなぎ撮りを行う際に、記録媒体に記録されている下地の内容を参照して、それを再構成してつなぎ撮りの際に書き戻す記録再生装置におけるつなぎ記録方法であって、
現在の再生画の記録媒体上に記録されている位置を示す位置情報を取得し、
取得した位置情報とつなぎ開始点の位置と大小関係を比較することによって、現在の再生画を残した状態でのつなぎ記録開始点を決定し、
決定したつなぎ記録開始点から所定距離だけ前のつなぎ記録開始待機点を算出し、
算出したつなぎ記録開始待機点で記録待機状態する制御を行い、
記録待機状態から上記記録媒体の走行を開始し、トラッキングを合わせてから所定時間経過後に、つなぎ記録開始点の検索を開始して、つなぎ記録を行うことを特徴とするつなぎ記録方法。
【請求項６】
つなぎ撮りを行う際に、上記記録媒体の走行位置を示す位置情報を取得し、走行位置を確認して、つなぎ記録開始点から記録電流を流すタイミングを制御して、つなぎ記録を行うことを特徴とする請求項５記載のつなぎ記録方法。
【請求項７】
上記記録媒体を低速走行させて、つなぎ記録開始待機点を探して記録待機状態する制御を行うことを特徴とする請求項５記載のつなぎ記録方法。
【請求項８】
つなぎ撮りを行う際に、記録媒体に記録されている下地の内容を参照して、それを再構成してつなぎ撮りの際に書き戻す記録再生装置であって、
記録終了時の最終記録位置を示すエラー訂正処理単位の位置情報を取得し、取得した最終記録位置をつなぎ記録開始点として、このつなぎ記録開始点から所定距離だけ前のつなぎ記録開始待機点を算出し、算出したつなぎ記録開始待機点で記録待機状態する制御を行う制御手段を備え、
上記記録終了時のエラー訂正処理単位の位置情報に基づいて、記録、記録待機、記録を繰り返すことを特徴とする記載の記録再生装置。
【請求項９】
上記制御手段は、上記記録媒体を低速走行させて、つなぎ記録開始待機点を探して記録待機状態する制御を行うことを特徴とする請求項８記載の記録再生装置。
【請求項１０】
上記制御手段は、つなぎ撮りを行う際に、上記記録媒体の走行を開始し、トラッキングを合わせてから所定時間経過後に、つなぎ記録開始点の検索を開始して、つなぎ記録を行うことを特徴とする請求項８記載の記録再生装置。
【請求項１１】
上記制御手段は、つなぎ撮りを行う際に、上記記録媒体の走行位置を示す位置情報を取得し、走行位置を確認して、つなぎ記録開始点から記録電流を流すタイミングを制御して、つなぎ記録を行うことを特徴とする請求項８記載の記録再生装置。
【請求項１２】
つなぎ撮りを行う際に、記録媒体に記録されている下地の内容を参照して、それを再構成してつなぎ撮りの際に書き戻す記録再生装置におけるつなぎ記録方法であって、
現在の再生画の記録媒体上に記録されている位置を示す位置情報を取得し、取得した位置情報とつなぎ開始点の位置と大小関係を比較することによって、現在の再生画を残した状態でのつなぎ記録開始点を決定し、決定したつなぎ記録開始点から所定距離だけ前のつなぎ記録開始待機点を算出し、算出したつなぎ記録開始待機点で記録待機状態する制御を行う制御手段を備え、
記録待機状態から上記記録媒体の走行を開始し、トラッキングを合わせてから所定時間経過後に、つなぎ記録開始点の検索を開始して、つなぎ記録を行うことを特徴とする記録再生装置。
【請求項１３】
上記制御手段は、つなぎ撮りを行う際に、上記記録媒体の走行位置を示す位置情報を取得し、走行位置を確認して、つなぎ記録開始点から記録電流を流すタイミングを制御して、つなぎ記録を行うことを特徴とする請求項１２記載の記録再生装置。
【請求項１４】
上記制御手段は、上記記録媒体を低速走行させて、つなぎ記録開始待機点を探して記録待機状態する制御を行うことを特徴とする請求項１２記載の記録再生装置。
【発明の詳細な説明】
【技術分野】
【０００１】
本発明は、ビデオテープレコーダなど記録再生装置におけるつなぎ記録方法及び記録再生装置に関する。
【背景技術】
【０００２】
従来、ビデオデータなどを、例えば、ＤＶ(Digital Video)方式により圧縮し、磁気テープに記録するためのフォーマットが、民生用デジタルビデオテープレコーダのＤＶフォーマットとして規定されている。
【０００３】
このフォーマットでは、記録されている映像と、新たに入力された映像とを繋いで記録する繋ぎ記録を効率的に行うために、つなぎ記録に必要なデータ(システムデータ)が、所定数のピクチャ毎にその前段にまとめて配置されるようになされており、どのフレームからでもつなぎ記録が行えていた。またつなぎ記録の開始はフレームの頭から行われており、フレームパルスに合わせて記録電流を流せば、つなぎ記録ができるようになっている（例えば、特許文献１参照）。
【０００４】
また、従来、ビデオデータなどを、例えば、ＨＤＶ方式により圧縮し、磁気テープに記録するためのフォーマットが、デジタルビデオテープレコーダのＨＤＶフォーマットとして規定されている。このフォーマットでは、ＭＰＥＧ−ＰＥＳ(Packtized Elementary Stream)のような１フレームの大きさが可変長のデータが磁気テープに記録される。（例えば、特許文献２参照）。
【０００５】
【特許文献１】特公平７−７５４１３号公報
【特許文献２】特開２００４−１６４７３１号公報
【発明の開示】
【発明が解決しようとする課題】
【０００６】
ところで、記録されるデータがＭＰＥＧ−ＰＥＳ(Packtized Elementary Stream)のような１フレームの大きさが可変長のデータに対してつなぎ記録を行う場合には、ＩピクチャやＰピクチャのある場所などという、つなぎ記録のできる場所が限定されてしまい、つなぎ記録開始点を検索しないとつなぎ記録ができないという問題がある。また、見つけたつなぎ記録開始点をそのまま採用すると、ユーザが意図しない場所からつなぎ記録を開始してしまうという問題もある。さらに、フレームパルスにあわせて記録電流を流してもつなぎ記録ができず、正確につなぎ記録開始点から記録電流を流して、つなぎ記録を行う必要がある。
【０００７】
そこで、本発明の目的は、上述の如き従来の問題点に鑑み、つなぎ記録を適切に行うことができるようにしたつなぎ記録方法及び記録装置を提供することにある。
【０００８】
本発明の更に他の目的、本発明によって得られる具体的な利点は、以下に説明される実施の形態の説明から一層明らかにされる。
【課題を解決するための手段】
【０００９】
本発明は、つなぎ撮りを行う際に、記録媒体に記録されている下地の内容を参照して、それを再構成してつなぎ撮りの際に書き戻す記録再生装置におけるつなぎ記録方法であって、 記録終了時の最終記録位置を示すエラー訂正処理単位の位置情報を取得し、取得した最終記録位置をつなぎ記録開始点として、このつなぎ記録開始点から所定距離だけ前のつなぎ記録開始待機点を算出し、算出したつなぎ記録開始待機点で記録待機状態する制御を行い、上記記録終了時のエラー訂正処理単位の位置情報に基づいて、記録、記録待機、記録を繰り返すことを特徴とする。
【００１０】
また、本発明は、つなぎ撮りを行う際に、記録媒体に記録されている下地の内容を参照して、それを再構成してつなぎ撮りの際に書き戻す記録再生装置であって、記録終了時の最終記録位置を示すエラー訂正処理単位の位置情報を取得し、取得した最終記録位置をつなぎ記録開始点として、このつなぎ記録開始点から所定距離だけ前のつなぎ記録開始待機点を算出し、算出したつなぎ記録開始待機点で記録待機状態する制御を行う制御手段を備え、上記記録終了時のエラー訂正処理単位の位置情報に基づいて、記録、記録待機、記録を繰り返すことを特徴とする。
【発明の効果】
【００１１】
本発明によれば、つなぎ記録を適切に行うことができる。
【発明を実施するための最良の形態】
【００１２】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１３】
本発明は、例えば図１に示すような構成の記録再生装置１００に適用される。
【００１４】
この記録再生装置１００は、入力されたビデオデータおよびオーディオデータについて制御部２０により動作が制御される記録処理部１０において所定の単位(以下、パックという)をＤＲＡＭ１４上に形成しながら、回転ヘッド３０を介して磁気テープ４０に記録し、また、上記磁気テープ４０にパックとして記録されているビデオデータおよびオーディオデータを回転ヘッド３０により読み取って上記ＤＲＡＭ１４上に記憶し、再生処理部５０によりビデオデータおよびオーディオデータを再生するもので、上記記録処理部１０や再生処理部５０の動作を制御する制御部２０、この制御部２０に対して、磁気テープ４０にＤＲＡＭ１４上のデータを記録するのか、磁気テープ４０からデータを読み出してＤＲＡＭ１４上に記憶させるのかの制御を行うシステムコントローラ８０を備える。
【００１５】
この記録再生装置１００におけるＤＲＡＭ１４上での記憶状態および磁気テープ４０上での記録状態を図２に示す。すなわち、図２はＮ＝１５（１５ピクチャごとにＩピクチャが配置される）、Ｍ＝３（３ピクチャごとにＰピクチャが配置される）のＧＯＰ構造を有しているビデオデータのＤＲＡＭ１４上での記憶状態および磁気テープ４０上での記録状態を表している。すなわち、１パックはＭ個（この場合３個）のピクチャデータと、そのピクチャに関連するＡＵＸデータ（ＡＵＸ−Ｖ：図２中のＵ）、そのピクチャに対応するオーディオデータ（図２中のＡ）、およびそのオーディオデータに関連するＡＵＸデータ（ＡＵＸ−Ａ：図２中のＸ）から構成される。
【００１６】
この記録再生装置１００では、ＤＲＡＭ１４上に記憶したデータに対して、例えば１６トラック分のデータを１単位とするＥＣＣ（Error Correcting Code）処理を施し、１６トラックごとの先頭トラックに、所定の情報が格納されたＥＣＣＴＢ（図２中のＨ）を配置する。なおＥＣＣ処理の単位としての１６トラックごとの単位を、ＥＣＣバンクと呼ぶ。
【００１７】
ＥＣＣＴＢには、ＥＣＣバンクにつなぎ記録の開始点になりうるパックの先頭が含まれる場合、その旨をあらわすデータが設定され、またつなぎ記録の開始点となりうるパックの先頭が含まれていないとき、その旨を表すデータが設定される。すなわち、ＥＣＣＴＢには、つなぎ記録の開始可能点が登録される。
【００１８】
上記ＥＣＣＴＢの内容を図３に示す。
【００１９】
この記録再生装置１００における記録処理部１０は、ビデオデータが入力される圧縮部１１、オーディオデータが入力される圧縮部１２、システムデータ生成部１３、ＤＲＡＭ１４、ＥＣＣ処理部１５及び入出力部１６からなる。
【００２０】
圧縮部１１は、入力されたＨＤ映像信号をＭＰＥＧ方式で圧縮し、その結果得られたビデオデータをＤＲＡＭ１４に出力する。圧縮部１１は、ＨＤ映像信号に対応する音声信号を例えばＭＰＥＧ１  Ｌａｙｅｒ２などに準拠した方式で音声圧縮を行い、その結果得られたオーディオデータをＤＲＡＭ１４に出力する。
【００２１】
システムデータ生成部１３は、ＡＵＸデータやサブコードデータなどで構成されるシステムデータを生成し、ＤＲＡＭ１４に出力する。
【００２２】
圧縮部１１により圧縮されたビデオデータ、圧縮部１２により圧縮されたオーディオデータ及びシステムデータ生成部１３により生成されたシステムデータは、ＤＲＡＭ１４上でパックを形成するようにして記憶される。なお、ＤＲＡＭ１４は、６個のＥＣＣバンク分のデータを記憶することができるものとし、それを超える入力があった場合には、その入力データは先に記憶されたデータに順次上書きされて記憶される。
【００２３】
ＥＣＣ処理部１５は、ＤＲＡＭ１４に記憶された、パックを構成するビデオデータ、オーディオデータ及びシステムデータに対しＥＣＣバンクごとのＥＣＣ処理を施す。ＥＣＣ処理部１５はまた、入出力部１６によって磁気テープ４０から読み出されてＤＲＡＭ１４に記憶されているデータに対して誤り訂正する処理などを施す。
【００２４】
入出力部１６は、ＤＲＡＭ１４に記憶されたデータ（ＥＣＣ処理が施されたデータ）を磁気テープ４０に記録するのに適した方式に変調するとともに、回転ヘッド３０を介して磁気テープ４０に記録する。また、入出力部１６は、回転ヘッド３０を介して磁気テープ４０から読み出されたデータをＤＲＡＭ１４に記憶させる。
【００２５】
制御部２０は、記録処理部１０の各部の制御を行う。
【００２６】
システムコントローラ８０は、上記制御部２０に対して、磁気テープ４０にＤＲＡＭ１４上のデータを記録するのか、磁気テープ４０からデータを読み出してＤＲＡＭ１４に記憶させるのかの制御を行う。
【００２７】
次に、図４を参照して、つなぎ記録開始点の検索、及び、同じテープ位置からつなぎ開始点を検索すると必ず同じつなぎ開始点を見つける方法について説明する。
【００２８】
まず、テープ走行を開始し、トラッキングが合うまで待つ（図４に示すａ１の部分）。
【００２９】
次に固定時間待って（図４に示すｂ１の部分）、そこからつなぎ記録開始点の検索指示をシステムコントローラ８０から記録再生装置１００の制御部２０に対して出して、検索を開始する（図４に示すｃ１の部分）。すると、記録再生装置１００は磁気テープ４０から回転ヘッド３０により読み取られる再生データを入出力部１６を介してＤＲＡＭ１４上にデータを記憶させる。その後ＥＣＣ処理部１５によって誤り訂正処理を行いつなぎ開始点を検索する。
【００３０】
そして、この記録再生装置１００では、制御部２０がつなぎ開始点を見つけると、そのＥＣＣバンクの番号をシステムコントローラ８０へ伝える（図４に示すｄ１の部分）。システムコントローラ８０は制御部２０から伝えられたＥＣＣバンクが所望のつなぎ記録開始点であれば、そのＥＣＣバンク番号とＥＣＣＴＢに含まれるバンク先頭のテープ先頭からの位置を示すＡＴＮ（Ａｂｓｏｌｕｔｅ  Ｔｒａｃｋ  Ｎｕｍｂｅｒ）を取得し、即座にテープ走行を停止させる（図４に示すｅ１の部分）。
【００３１】
記録再生装置１００の制御部２０からシステムコントローラ８０へつなぎ開始点のＥＣＣバンクの番号を伝えられたとき、記録処理部１０でバンクの誤り訂正処理を行っている関係上、つなぎ開始点となるＥＣＣバンクの実際のテープ位置は今走行しているところよりも前（テープトップ側）にある（図４に示すｆ１の部分）。
【００３２】
つなぎ開始点がみつかると、そこより前になるように磁気テープ４０を戻し（図４に示すｇ１の部分）、回転ヘッド３０で磁気テープ４０が正しく読めるようにテープパスの安定を行う（図４に示すｈ１の部分）。その後、１／３倍速のような低速で磁気テープ４０を走行させ（図４に示すｉ１の部分）、つなぎ記録開始点から固定距離（記録開始するのに十分な距離、図４に示すｊ１の部分）前になる位置を探し、固定距離前になったところで、記録待機する（図４に示すｋ１の部分）。
【００３３】
以上のような方法で、つなぎ開始点を検索するが、このとき図３に示すｂの部分の待ち時間があるので、同じテープ位置からつなぎ開始点を検索すると、必ず同じつなぎ開始点を見つけることができる。また、図４に示すｂ１の部分の待ち時間は、図４に示すｋ１の部分の距離によって決まる値である。
【００３４】
次に、ユーザが要求するつなぎ開始点の取得方法について説明する。
【００３５】
ユーザが要求するつなぎ記録としては、
１．記録、記録待機、記録を繰り返す
２．完全な停止状態からつなぎ記録を開始する
３．今再生している画からつなぎ記録を行う
のパターンがあるので、それぞれについて説明する。
【００３６】
まず、１．のパターンについて、図５に示すフローチャートを参考にしながら説明する。
【００３７】
記録終了する場合に、システムコントローラ８０は記録再生装置１００の制御部２０から最後に記録したビデオデータの含まれるＥＣＣバンクの番号とそのバンクのＥＣＣＴＢヘッダに含まれるＡＴＮを取得し、記録を終了させる（ステップＳ１）。
【００３８】
次にそのバンクをつなぎ開始点として設定し、つなぎ開始点から固定距離前になるように磁気テープ４０を戻し（ステップＳ２）、そこで記録待機させ（ステップＳ３）、図４に示したｇ１〜ｊ１の部分と同じ処理を行うことにより、次回の記録開始に備えるようにする。
【００３９】
ここで、記録終了時の制御を図６に示す。
【００４０】
すなわち、システムコントローラ８０は、記録中（図６に示すａ２の部分）に記録終了が指示されると、記録終了を示すＶ−ＥＮＤを含む最終記録バンク（ＢＫｅｎｄ）（つなぎ記録開始点）の後ろに１バンクＢＫｎｕｌｌだけＮＵＬＬ書きした時点（図６に示すｂ２）で記録電流をオフし、さらに一定距離だけ進んだ時点（図６に示すｃ２）でキャプスタンを停止させる。そして、そこより所定の距離（キャプスタン停止から記録待機点までの距離（図６に示すｄ２）＋テープパスを安定させるために必要な距離＋微調整距離）だけ前になるように磁気テープ４０を戻し（図６のｅ２の部分）、次に、回転ヘッド３０で磁気テープ４０が正しく読めるようにテープパスの安定を行う（図６のｆ２の部分）。その後、１／３倍速のような低速でテープを走行させ（図６のｇ２の部分）、つなぎ記録開始点から固定距離（図６に示すｈ２）前になる位置を探し、固定距離前になったところで、記録待機する（図６のｉ２の部分）。
【００４１】
２．のパターンについては、上述のつなぎ記録開始点の検索および、同じテープ位置からつなぎ開始点を検索すると必ず同じつなぎ開始点を見つける方法を行うことによって、現在のテープ停止位置から一番近いつなぎ開始点をみつけることができる。
【００４２】
さらに、３．のパターンについて、図５を参照しながら説明する。
【００４３】
再生中にポーズ状態になった場合テープの停止位置（図７に示すｂ３）と実際にユーザが見ている画が記録されているテープ位置（図７に示すａ３）は異なる。上記実際にユーザが見ている画が記録されているテープ位置（図７に示すａ３）の画の先頭のテープ位置は、ＥＴＮ（Ｅｘｔｅｎｄｅｄ  Ｔｒａｃｋ  Ｎｕｍｂｅｒ：ＡＴＮとは異なる別のテープ先頭からの位置を示す値）を使って求めることができる。このＥＴＮは図示しないＥｎｃｏｄｅ／Ｄｅｃｏｄｅを制御する別マイクロコンピュータから取得できるＤＴＳ（Ｄｅｃｏｄｉｎｇ  Ｔｉｍｅ  Ｓｔａｍｐ）から次のように算出できる。
【００４４】
ＤＴＳ＝（ＥＴＮ−１０）×（クロック数／１０）
クロック数：ＮＴＳＣの場合は３００３、ＰＡＬの場合は３６００
よって、上記実際にユーザが見ている画が記録されているテープ位置（図７に示すａ３）の位置を求めることができれば、再生ポーズ位置から上記図７に示すａ３の位置よりテープトップ側になるように磁気テープ４０を戻し（図７に示すｃ３の部分）、つなぎ開始点の検出を行う（図７に示すｄ３の部分）。ここで、記録再生装置１００の制御部２０からシステムコントローラ８０へつなぎ開始点を見つけたと伝えられたときに、実際にユーザが見ている画が記録されているテープ位置（図７に示すａ３）と検出したつなぎ開始点のＥＣＣバンクのＥＣＣＴＢヘッダに含まれるバンク先頭を示すＥＴＮの大小関係を比較し、上記実際にユーザが見ている画が記録されているテープ位置（図７に示すａ３）よりも大きい値になるまでつなぎ開始点として採用しなければ、ユーザが見ていた画を残した形でつなぎ記録が行うことができる。それに相当するつなぎ開始点は図７に示すｅ３の位置になる。
【００４５】
つなぎ開始点がみつかると、そこより前になるように磁気テープ４０を戻し（図７のｆ３の部分）、回転ヘッド３０で磁気テープ４０が正しく読めるようにテープパスの安定を行う（図７のｇ３の部分）。その後、１／３倍速のような低速で磁気テープ４０を走行させ（図７のｈ３の部分）、つなぎ記録開始点から固定距離（記録開始するのに十分な距離、図７のｉ３の部分）前になる位置を探し、固定距離前になったところで、記録待機する（図７のｊ３の部分）。
【００４６】
次に記録開始のタイミング合わせについて図８に示すフローチャート及び図９を参照して説明する。
【００４７】
まず、磁気テープ４０の走行を開始し、トラッキングを合わせる（ステップＳ１１）。
【００４８】
次に既に記録されている磁気テープ４０のデータを読み出し、磁気テープ４０の位置を示すＡＴＮ（ＥＴＮ）を取得し、システムコントローラ８０は磁気テープ４０の位置を知る（ステップＳ１２）。
【００４９】
そして、記録開始点から数トラック前になったか否かを判定し、記録開始点から数トラック前になったら（ステップＳ１３）、既に磁気テープ４０に記録されているデータの取得をやめ、システムコントローラ８０が自分で記録開始点になるまで位置をカウントしていく（ステップＳ１４）。
【００５０】
さらに、システムコントローラ８０は、記録開始点になったか否かを判定し、記録開始点になったら（ステップＳ１５）、ＤＲＡＭ１４上に記憶されているデータを入出力部１６、回転ヘッド３０を介して磁気テープ４０に記録するよう記録再生装置１００の制御部２０に記録開始の指示を出す（ステップＳ１６）。
【００５１】
すなわち、システムコントローラ８０は、最終記録バンク（ＢＫｅｎｄ）すなわちつなぎ記録開始点から固定距離前（図９に示すａ４）の位置で記録待機状態にある場合に、記録開始の指示を受け付けると、キャプスタンを起動してテープ走行を開始し（図９に示すｂ４）、トラッキングが合うまで待って（図９に示すｃ４の部分）、記録開始点から数トラック前になったら、磁気テープ４０に記録されているデータの取得をやめ、システムコントローラ８０が自分で記録開始点になるまで位置のカウントを開始する（図９に示すｄ４の部分）。そして記録開始点になったら、記録開始を記録再生装置１００の制御部２０に指示し、記録再生装置１００の制御部２０は、記録処理部１０のＤＲＡＭ１４上に記憶されているデータを読み出して、入出力部１６、回転ヘッド３０を介して磁気テープ４０に記録させる（図９に示すｅ４）。
【００５２】
つなぎ記録開始点にある記録開始バンクすなわち上記最終記録バンク（ＢＫｅｎｄ）の最初のトラックの位置（ＴＲＰ／ＥＴＮ）とシステムコントローラ８０が自分で記録開始点になるまで位置をカウントしているトラック位置（ＴＲＰ／ＥＴＮ）が一致した時点となる。なお、一致するまでの差が位相差（図９のｆ４の部分）となる。
【図面の簡単な説明】
【００５３】
【図１】本発明を適用した記録再生装置の構成を示すブロック図である。
【図２】上記記録再生装置におけるＤＲＡＭ上での記憶状態および磁気テープ上での記録状態を模式的に示す図である。
【図３】ＥＣＣＴＢの内容を示す図である。
【図４】上記記録再生装置におけるつなぎ記録開始点の検索及び同じテープ位置からつなぎ開始点を検索の方法について説明するための模式図である。
【図５】記録、記録待機、記録を繰り返すつなぎ記録を行う場合の手順を示すフローチャートである。
【図６】記録終了時の制御について説明するための模式図である。
【図７】再生画からつなぎ記録を行う場合について説明するための模式図である。
【図８】記録開始のタイミング合わせのための処理手順を示すフローチャートである。
【図９】つなぎ記録を行う場合の記録開始のタイミング合わせについて説明するための模式図である。
【符号の説明】
【００５４】
１０  記録処理部、１１，１２  圧縮部、１３  システムデータ生成部、１４  ＤＲＡＭ、  １５  ＥＣＣ処理部、１６  入出力部、２０  制御部、３０  回転ヘッド、４０  磁気テープ、５０  再生処理部、８０  システムコントローラ、１００  記録再生装置
【図１】
2006066039.tif 000003
【図２】
2006066039.tif 000004
【図３】
2006066039.tif 000005
【図４】
2006066039.tif 000006
【図５】
2006066039.tif 000007
【図６】
2006066039.tif 000008
【図７】
2006066039.tif 000009
【図８】
2006066039.tif 000010
【図９】
2006066039.tif 000011